(57)【要約】  【課題】  比較的均一な幅の塗布跡を形成し易いものでありながら、直線状部分の繊維が散けることを抑制し、意図しない部分への塗布液の散布を防止することができ、また、繊維の腹に接触する筆記感と連続的な滑らかな塗布感が得られる筆穂を得る。  【解決手段】  筆穂先端の並列部に、直線状部分と曲面状部分とを形成し、軸線方向に対して垂直な方向である幅寸法において、曲面状部分の総幅長さが直線状部分の総幅長さ以上である。【選択図】  図２
2017127450.tif 000002
【特許請求の範囲】
【請求項１】
繊維収束体としての筆穂を形成する繊維の先端が形成する、筆穂先端の並列部に、直線状部分と曲面状部分とを形成し、軸線方向に対して垂直な方向である幅寸法において、曲面状部分の総幅長さが直線状部分の総幅長さ以上である筆穂。
【請求項２】
前記筆穂が少なくともポリアミド繊維とポリブチレンテレフタレート繊維を含有し、ポリアミド繊維の混合比率が６０％以上である請求項１に記載の毛筆状塗布具。
【発明の詳細な説明】
【技術分野】
【０００１】
本発明は、アイライナーやリップブラシ等の化粧具、書道に使用する筆やインキを内蔵する筆ペン先の筆記具、画筆、刷毛などに使用する筆穂に関するものである。
【背景技術】
【０００２】
従来、筆穂としては、柔らかく自由度の高い円錐形状のもの（特許文献１）や、一定幅の描線を描きやすい、先端を平坦にした平型のもの（特許文献２）が知られている。
また、筆穂の最先端部を軸線と異なる位置に配置して、軸線に対して斜めに形成した側部稜線を有するものも知られている（特許文献３）。
【先行技術文献】
【特許文献】
【０００３】
【特許文献１】特開平１１−１９２７９５号公報
【特許文献２】特開２００３−０７２２８１号公報
【特許文献３】特開２００１−２８７４９１号公報
【発明の概要】
【発明が解決しようとする課題】
【０００４】
円錐形状の筆穂では、一定幅の塗布跡を形成しにくく、平型の筆穂や、斜めに形成した側部稜線を有する穂先といった、先端に直線状部分を有する筆穂では、紙面や肌面などの被塗布面に押し付けたときに、端の繊維が散けて意図しない部分へ塗布液が付着してしまうことがあった。
【課題を解決するための手段】
【０００５】
本発明は、繊維収束体としての筆穂を形成する繊維の先端が形成する、筆穂先端の並列部に、直線状部分と曲面状部分とを形成し、軸線方向に対して垂直な方向である幅寸法において、曲面状部分の総幅長さが直線状部分の総幅長さ以上である筆穂を要旨とする。
【発明の効果】
【０００６】
本発明は、筆穂の先端部分にて、単繊維の先端が束ねられることによって形成される筆穂先端の並列部に、平型などの穂先と同様に、直線状部分を有することで、比較的均一な幅の塗布跡を形成し易いものでありながら、その直線状部分以上の幅となる曲面状部分を有するので、曲面状部分を構成する繊維束が直線状部分を支える役割を担い、直線状部分の繊維が散けることを抑制し、意図しない部分への塗布液の散布を防止することができる。また、単繊維の先端の集合体である並列部は、肌に塗布する場合などでは、繊維の先端が肌への刺激部分となるが、並列部を大きな曲面状とすることによって、繊維束の先端が段階的に肌を押すこととなり、繊維の腹に接触する筆記感と連続的な滑らかな塗布感が得られる。
【図面の簡単な説明】
【０００７】
【図１】塗布具に適用した一例を示す縦断面図。
【図２】図１のＩ部拡大図。
【図３】筆穂と固定部材を示す斜視図。
【図４】他の一例を示す図２相当図。
【図５】第２実施例の斜視図。
【発明を実施するための形態】
【０００８】
本発明の筆穂は、アイライナーやリップカラー、ネイルカラー、また筆記用具のインキや修正液、絵の具、口紅やファンデーションの化粧料等を用いることができ、この筆穂を配した塗布具としては、アイライナーやリップブラシを始めとする化粧用具や、紙面やガラス面、金属面、木材などに塗布する毛筆や筆記具、描画用の筆や刷毛とすることができる。
【０００９】
本発明の筆穂を配した塗布具としては、筆記、塗描の際に把持する軸の先端に筆穂を配置したものであれば良い。筆穂の固定方法としては、例えば、別部材によって挟持状に固定したり、筒状とした軸の先端開口に圧入固定するなどとできる。
【００１０】
軸は、内部に収容する塗布液を、筆穂に供給する手段を備えた塗布液内蔵タイプとすることもできる。内蔵する塗布液は、中綿などと称される繊維収束体に含浸させても良いし、インキタンクとなる容器に自由状態で収容する、所謂生インキと呼ばれるタイプとしても良い。また、インキタンクや中綿を、交換式として、外装としての軸と筆穂をそのままに、塗布液を補充して使用するものとすることもできる。また、穂先を容器に入れた塗布液に浸して使用するタイプのものとすることもできる。
筆穂を保護したり、液の乾燥を抑制するなどの目的で、キャップを被冠させたり、軸操作によって筆穂を軸内に収容、繰り出し突出可能なものとすることもできる。
【００１１】
筆穂の形状は繊維束ねて形成するが、繊維の先端が形成する、筆穂先端の並列部に、直線状部分と曲面状部分とを形成し、軸線方向に対して垂直な方向である幅寸法において、曲面状部分の総幅長さが直線状部分の総幅長さ以上とする以外には適宜なせ、筆穂の後端部分が円形、楕円形、扁平状などにそろえて溶着させるなどして形成できる。束ねた繊維をそのまま使用が、特に繊維一本の形状を先細状に形成したものなどでは好ましいが、束ねた後に芯擦りなどの加工を施して形成させることもできる。
【００１２】
筆穂を形成する単繊維の材質としては、天然の獣毛を使用しても良いが、自然保護や品質の安定性のために合成繊維を使用することも好ましい。合成繊維としては、例えば、ポリアミド（６，６−ナイロン、６−ナイロン、１２−ナイロン、６，１０−ナイロン、６，１２−ナイロンなど）、ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆の合成繊維を混合して使用することもできる。
特に、ポリアミド繊維とポリブチレンテレフタレート（ＰＢＴ）繊維を含有するものとすると、ポリアミドは分子内にアミド基（−ＮＨＣＯ）を持つ為に親水性である為、吸湿性があり水分の保持力が大きくなるので、表面張力により繊維同士を引き合わせることで筆穂のまとまりが良く、吸水時に適度に柔らかくなるので、なめらかな塗布感を得ることができる。ポリブチレンテレフタレート繊維は、先端弾性が強く、並列部に弾性が付与され、安定した塗布感が得られるものである。
尚、ポリアミド繊維の混合比率は、６０％以上であることが好ましい。その理由としては、ポリアミド繊維の混合比率が６０％を下回ると、吸湿による水分の保持力が小さくなるので、繊維同士が離れやすくなり、筆穂のまとまりに影響する場合がある。
【００１３】
また、このような合成繊維１本の形状としては、横断面形状が丸形の他に、特開２００８−０５５７４２号に開示されているような断面形状が異形なものを用いても良い。さらには、繊維表面が凹凸加工されたものや、繊維全体にウェーブのかかったものであっても良い。
また、繊維の最大径として０．０５ｍｍ〜０．１５ｍｍのものを用いるのが好ましい。繊維の最大径が０．０５ｍｍに満たないと、穂先弾性が弱くなり塗布時の筆穂の戻りが悪くなり、繊維の最大径が０．１５ｍｍを超えると筆穂のまとまりが悪くなる。また、塗布感がハードになることで使用感や被対象物へのタッチが悪くなる場合もある。
これら、繊維の材質や、形状、太さなどは、１種類のものを使用することも、複数種のものを混合して使用することもできる。
例えば、横断面が円形のものと異形のものとを組み合わせて使用した場合、筆穂の内部に積極的に空間が生まれ、粒子の大きい顔料を使用した塗布液や高粘度の塗布液を使用する場合に好ましい。更に、繊維同士の接触面積も少なくなるので干渉して絡まるようなことや、摩擦による静電気が発生してまとまりが悪くなるようなことを抑制しえる。
また、繊維の最大径Ｄは、１種類であっても２種類であっても何種類混ぜても構わない。例えば、太い繊維と細い繊維と混毛することで、筆穂として弾性が強く腰のあるタッチと、集束し易く、ソフトなタッチ感とを両立させることができる。
【００１４】
また、合成繊維の先端を先細に縮径加工する方法としては、処理液により加工する方法が挙げられる。具体的には、ポリアミド製の繊維に対しては、メタクレゾールと塩化カルシウム−メタノール溶液との混和液、ポリエステル製の繊維に対しては水酸化ナトリウム水溶液などの組み合わせが挙げられる。但し、必ずしもこの方法に限定されるものではなく、例えば、合成樹脂製繊維に熱延伸を与えてテーパー状に引き伸ばす方法やグラインダー研磨など機械的にテーパー化するなどの他の方法を採用しても良い。
【００１５】
使用されるインキや化粧料は、特に限定されないが、着色剤として染料及び／または顔料が使用できる。また、これまで塗布液と称して液状のものを塗布することを前提に説明してきたが、粉状の着色粒子やそれを押し固めた、ケーキカラーやファンデーションパウダーを筆穂ですくい取り塗布するようなものとすることもできる。
【００１６】
使用される配合物の一例を以下に示す。
油溶性の染料としては、具体的には、ローダミンＢベース（Ｃ．Ｉ．４５１７０Ｂ、田岡染料製造（株）製）、ソルダンレッド３Ｒ（Ｃ．Ｉ．２１２６０、中外化成（株）製）、メチルバイオレット２Ｂベース（Ｃ．Ｉ．４２５３５Ｂ、米国、Ｎａｔｉｏｎａｌ  Ａｎｉｌｉｎｅ  Ｄｉｖ．製）、ビクトリアブルーＦ４Ｒ（Ｃ．Ｉ．４２５６３Ｂ）、ニグロシンベースＬＫ（Ｃ．Ｉ．５０４１５）（以上、ＢＡＳＦ社製、独国）、バリファーストイエロー＃３１０４（Ｃ．Ｉ．１３９００Ａ）、バリファーストイエロー＃３１０５（Ｃ．Ｉ．１８６９０）、オリエントスピリットブラックＡＢ（Ｃ．Ｉ．５０４１５）、バリファーストブラック＃３８０４（Ｃ．Ｉ．１２１９５）、バリファーストイエロー＃１１０９、バリファーストオレンジ＃２２１０、バリファーストレッド＃１３２０、バリファーストブルー＃１６０５、バリファーストバイオレット＃１７０１（以上、オリエント化学工業（株）製）、スピロンブラックＧＭＨスペシャル、スピロンイエローＣ−２ＧＨ、スピロンイエローＣ−ＧＮＨ、スピロンレッドＣ−ＧＨ、スピロンレッドＣ−ＢＨ、スピロンブルーＢＰＮＨ、スピロンブルーＣ−ＲＨ、スピロンバイオレットＣ−ＲＨ、Ｓ．Ｐ．Ｔ．オレンジ６、Ｓ．Ｐ．Ｔ．ブルー１１１（以上、保土ヶ谷化学工業（株）製）や、ネオスーパーブルーＣ−５５５（以上、中央合成化学（株）製）等の従来公知の一般的なものが使用できる。
【００１７】
水溶性の染料としては、酸性染料、直接染料、塩基性染料等のいずれも用いることができる。その一例を挙げれば、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、  ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）等の直接染料や、アシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（���６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）等の酸性染料、アイゼンカチロンイエロー３ＧＬＨ（Ｃ．Ｉ．ベーシックイエロー１１）、アイゼンカチロンブリリアントイエロー５ＧＬＨ（同１３）、スミアクリル���エローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）等の塩基性染料が挙げられる。
【００１８】
顔料は筆跡堅牢性の向上やインキの流動特性の改良を目的に添加され、一例としては、アゾ系顔料、キナクリドン系顔料、イソインドリノン系顔料、ジオキサン系顔料、ベリノン、ベリレン系顔料、ジケトピロロピロール顔料、アニリンブラック、ニトロソ系顔料、ニトロ系顔料、等の有機顔料や、酸化鉄、カーボンブラック、アセチレンブラック、ランプブラック、ボーンブラック、鉄黒、酸化チタン、硫酸バリウム、カドミウムレッド、弁柄、クロムイエロー、黄土、カドミウムイエロー、バリウム黄、群青、紺青等の無機系顔料及び蛍光顔料、樹脂粒子を染料で着色した顔料で使用樹脂がインキ溶剤に溶解しないものが挙げられ、これらは単独あるいは混合して使用することが出来る。
黒色顔料としては例えば、プリンテックス３、同２５、同３０、同３５、同４０、同４５、同５５、同６０、同７５、同８０、同８５、同９０、同９５、同３００、スペシャルブラック４、同５、同１００、同２５０、同５５０（以上デグサヒュルスジャパン（株）製）。三菱カーボンブラック＃２７００、同＃２６５０、同＃２６００、同＃２４００、同＃２３５０、同＃２３００、同＃２２００、同＃１０００、同＃９９０、同＃９８０、同＃９７０、同＃９６０、同＃９５０、同＃９００、同＃８５０、同＃７５０、同＃６５０、同＃５２、同＃５０、同＃４７、同＃４５、同＃４５Ｌ、同＃４４、同＃４０、同＃３３、同＃３２、同＃３０、同＃２５、同＃２０、同＃１０、同＃５、同＃９５、同＃２６０、同ＣＦ９、同ＭＣＦ８８、同ＭＡ６００、同ＭＡ７７、同ＭＡ７、同ＭＡ１１、同ＭＡ１００、同ＭＡ１００Ｒ、同ＭＡ１００Ｓ、同ＭＡ２２０、同ＭＡ２３０（以上、三菱化学（株）製）、トーカブラック＃８５００／Ｆ、同＃８３００／Ｆ、同＃７５５０ＳＢ／Ｆ、同＃７４００、同＃７３６０ＳＢ／Ｆ、同＃７３５０／Ｆ、同＃７２７０ＳＢ、同＃７１００／Ｆ、同＃７０５０（以上、東海カーボン（株）製）等のカーボンブラックや、ダイヤモンドブラックＮ（玉億色材（株）製）などのアニリンブラックや、ボーンブラック（三重カラーテクノ（株）製）や、鉄化ブラックＫＮ−３２０（日本鉄化（株）製）などの鉄黒が挙げられる。
青色顔料としては例えばＣ．Ｉ．Ｐｉｇｍｅｎｔ  Ｂｌｕｅ  ２、同９、同１５、同１５：１、同１５：２、同１５：３、同１５：４、同１５：６、同１６、同１７、同２８、同２９、同３６、同６０、同６８、同７６、同８０等が使用できる。
赤色の顔料としてはＣ．Ｉ．Ｐｉｇｍｅｎｔ  Ｒｅｄ  ２、同３、同５、同８、同１４、同１７、同２２、同２３、同３１、同４８：１、同４８：２、同４８：３、同４８：４、同５３：１、同５３：２、同５７：１、同１１２、同１２２、同１４４、同１４６、同１４９、同１６６、同１７０、同１７５、同１７６、同１７７、同１７９、同１８４、同１８５、同１８７、同１８８、同２０２、同２０７、同２０８、同２０９、同２１０、同２１１、同２１３、同２１４、同２４２、同２５３、同２５４、同２５５、同２５６、同２５７、同２６４、同２６６、同２６８、同２７０、同２７２等が使用できる。
黄色の顔料としてはＣ．Ｉ．Ｐｉｇｍｅｎｔ  Ｙｅｌｌｏｗ  １、同３、同１２、同１３、同１４、同１６、同１７、同５５、同７３、同７４、同７９、同８１、同８３、同９３、同９４、同９５、同９７、同１０９、同１１０、同１１１、同１２０、同１２８、同１３３、同１３６、同１３８、同１３９、同１４７、同１５１、同１５４、同１５５、同１６７、同１７３、同１７４、同１７５、同１７６、同１８０、同１８５、同１９１、同１９４、同２１３等が使用できる。
橙色の顔料としてはＣ．Ｉ．Ｐｉｇｍｅｎｔ  Ｏｒａｎｇｅ５、同１３、同１６、同３４、同３６、同３８、同４３、同６２、同６８、同７２、同７４等がある。
緑色の顔料としてはＣ．Ｉ．Ｐｉｇｍｅｎｔ  Ｇｒｅｅｎ７、同３６、同３７等が使用できる。
紫色の顔料としてはＣ．Ｉ．Ｐｉｇｍｅｎｔ  Ｖｉｏｌｅｔ１９、同２３等が使用出来る。
これらの着色剤の使用量は全塗布液に対し１重量％以上４０重量％以下が好適に使用できる。また、これらの着色剤は単独で使用しても２種類以上を併用して使用しても良い。
【００１９】
また、これらの顔料の他に加工顔料も使用可能である。それらの一例を挙げると、Ｒｅｎｏｌ  Ｙｅｌｌｏｗ  ＧＧ−ＨＷ３０、同ＨＲ−ＨＷ３０、同Ｏｒａｎｇｅ  ＲＬ−ＨＷ３０、同Ｒｅｄ  ＨＦ２Ｂ−ＨＷ３０、同ＦＧＲ−ＨＷ３０、同Ｆ５ＲＫ−ＨＷ３０、同Ｃａｒｍｉｎｅ  ＦＢＢ−ＨＷ３０、同Ｖｉｏｌｅｔ  ＲＬ−ＨＷ３０、同Ｂｌｕｅ  Ｂ２Ｇ−ＨＷ３０、同ＣＦ−ＨＷ３０、同Ｇｒｅｅｎ  ＧＧ−ＨＷ３０、同Ｂｒｏｗｎ  ＨＦＲ−ＨＷ３０、Ｂｌａｃｋ  Ｒ−ＨＷ３０（以上、クラリアントジャパン（株）製）、ＵＴＣＯ−００１エロー、同０１２エロー、同０２１オレンジ、同０３１レッド、同０３２レッド、同０４２バイオレット、同０５１ブルー、同０５２ブルー、同０６１グリーン、同５９１ブラック、同５９２ブラック（以上、大日精化工業（株）製）、ＭＩＣＲＯＬＩＴＨ  Ｙｅｌｌｏｗ  ４Ｇ−Ａ、同ＭＸ−Ａ、同２Ｒ−Ａ、Ｂｒｏｗｎ  ５Ｒ−Ａ、Ｓｃａｒｌｅｔ  Ｒ−Ａ、Ｒｅｄ  ２Ｃ−Ａ、同３Ｒ−Ａ、Ｍａｇｅｎｔａ  ２Ｂ−Ａ、Ｖｉｏｌｅｔ  Ｂ−Ａ、Ｂｌｕｅ  ４Ｇ−Ａ、Ｇｒｅｅｎ  Ｇ−Ａ（以上、チバ・スペシャリティケミカルズ（株）製）等がある。
【００２０】
更に、水性媒体に分散した水性インキベースを用いることもでき、具体的には、Ｆｕｊｉ  ＳＰ  Ｂｌａｃｋ８０３１、同８１１９、同８１６７、同８２７６、同８３８１、同８４０６、Ｆｕｊｉ  ＳＰ  Ｒｅｄ  ５０９６、同５１１１、同５１９３、同５２２０、Ｆｕｊｉ  ＳＰ  Ｂｏｒｄｅａｕｘ  ５５００、Ｆｕｊｉ  ＳＰ  Ｂｌｕｅ  ６０６２、同６１３３、同６１３４、同６４０１、Ｆｕｊｉ  ＳＰ  Ｇｒｅｅｎ  ７０５１、Ｆｕｊｉ  ＳＰ  Ｙｅｌｌｏｗ  ４０６０、同４１７８、Ｆｕｊｉ  ＳＰ  Ｖｉｏｌｅｔ  ９０１１、Ｆｕｊｉ  ＳＰ  Ｐｉｎｋ  ９５２４、同９５２７、Ｆｕｊｉ  ＳＰ  Ｏｒａｎｇｅ  ５３４、ＦＵｊｉ  ＳＰ  Ｂｒｏｗｎ  ３０７４、ＦＵＪＩ  ＳＰ  ＲＥＤ  ５５４３、同５５４４（以上、富士色素（株）製）、Ｅｍａｃｏｌ  Ｂｌａｃｋ  ＣＮ、Ｅｍａｃｏｌ  Ｂｌｕｅ  ＦＢＢ、同ＦＢ、同ＫＲ、Ｅｍａｃｏｌ  Ｇｒｅｅｎ  ＬＸＢ、Ｅｍａｃｏｌ  Ｖｉｏｌｅｔ  ＢＬ、Ｅｍａｃｏｌ  Ｂｒｏｗｎ  ３１０１、Ｅｍａｃｏｌ  Ｃａｒｍｍｉｎｅ  ＦＢ、Ｅｍａｃｏｌ  Ｒｅｄ  ＢＳ、Ｅｍａｃｏｌ  Ｏｒａｎｇｅ  Ｒ、Ｅｍａｃｏｌ  Ｙｅｌｌｏｗ  ＦＤ、同ＩＲＮ、同３６０１、同ＦＧＮ、同ＧＮ、同ＧＧ、同Ｆ５Ｇ、同Ｆ７Ｇ、同１０ＧＮ、同１０Ｇ、Ｓａｎｄｙｅ  Ｓｕｐｅｒ  Ｂｌａｃｋ  Ｋ、同Ｃ、Ｓａｎｄｙｅ  Ｓｕｐｅｒ  Ｇｒｅｙ  Ｂ、Ｓａｎｄｙｅ  Ｓｕｐｅｒ  Ｂｒｏｗｎ  ＳＢ、同ＦＲＬ、同ＲＲ、ＳａｎｄｙｅＳｕｐｅｒ  Ｇｒｅｅｎ  Ｌ５Ｇ、同ＧＸＢ、Ｓａｎｄｙｅ  Ｓｕｐｅｒ  Ｎａｖｙ  Ｂｌｕｅ  ＨＲＬ、同ＧＬＬ、同ＨＢ、同ＦＢＬ−Ｈ、同ＦＢＬ−１６０、同ＦＢＢ、Ｓａｎｄｙｅ  Ｓｕｐｅｒ  Ｖｉｏｌｅｔ  ＢＬ  Ｈ／Ｃ、同ＢＬ、Ｓａｎｄｙｅ  Ｓｕｐｅｒ  Ｂｏｒｄｅａｕｘ  ＦＲ、Ｓａｎｄｙｅ  Ｓｕｐｅｒ  Ｐｉｎｋ  ＦＢＬ、同Ｆ５Ｂ、Ｓａｎｄｙｅ  Ｓｕｐｅｒ  Ｒｕｂｉｎｅ  ＦＲ、Ｓａｎｄｙｅ  ｓｕｐｅｒ  Ｃａｒｍｍｉｎｅ  ＦＢ、ＳａｎｄｙｅＳｕｐｅｒ  Ｒｅｄ  ＦＦＧ、同ＲＲ、同ＢＳ、Ｓａｎｄｙｅ  Ｓｕｐｅｒ  Ｏｒａｎｇｅ  ＦＬ、同Ｒ、同ＢＯ、Ｓａｎｄｙｅ  Ｇｏｌｄ  Ｙｅｌｌｏｗ  ５ＧＲ、同Ｒ、同３Ｒ、Ｓａｎｄｙｅ  Ｙｗｌｌｏｗ  ＧＧ、同Ｆ３Ｒ、同ＩＲＣ、同ＦＧＮ、同ＧＮ、同ＧＲＳ、同ＧＳＲ−１３０、同ＧＳＮ−１３０、同ＧＳＮ、同１０ＧＮ（以上、山陽色素（株）製）、Ｒｉｏ  Ｆａｓｔ  ＢｌａｃｋＦｘ  ８０１２、同８３１３、同８１６９、Ｒｉｏ  Ｆａｓｔ  Ｒｅｄ  Ｆｘ８２０９、同８１７２、Ｒｉｏ  Ｆａｓｔ  Ｒｅｄ  Ｓ  Ｆｘ  ８３１５、同８３１６、Ｒｉｏ  Ｆａｓｔ  Ｂｌｕｅ  Ｆｘ  ８１７０、Ｒｉｏ  Ｆａｓｔ  Ｂｌｕｅ  ＦＸ  ８１７０、Ｒｉｏ  Ｆａｓｔ  Ｂｌｕｅ  Ｓ  Ｆｘ  ８３１２、Ｒｉｏ  Ｆａｓｔ  Ｇｒｅｅｎ  Ｓ  Ｆｘ  ８３１４（以上、東洋インキ（株）製）、ＮＫＷ−２１０１、同２１０２、同２１０３、同２１０４、同２１０５、同２１０６、同２１０７、同２１０８、同２１１７、同２１２７、同２１３７、同２１６７、同２１０１Ｐ、同２１０２Ｐ、同２１０３Ｐ、同２１０４Ｐ、同２１０５Ｐ、同２１０６Ｐ、同２１０７Ｐ、同２１０８Ｐ、同２１１７Ｐ、同２１２７Ｐ、同２１３７Ｐ、同２１６７Ｐ、ＮＫＷ−３００２、同３００３、同３００４、同３００５、同３００７、同３０７７、同３００８、同３４０２、同３４０４、同３４０５、同３４０７、同３４０８、同３４７７、同３６０２、同３６０３、同３６０４、同３６０５、同３６０７、同３６７７、同３６０８、同３７０２、同３７０３、同３７０４、同３７０５、同３７７７、同３７０８、同６０１３、同６０３８、同６５５９（以上、日本蛍光（株）製）、コスモカラーＳ１０００Ｆシリーズ（東洋ソーダ（株）製）、ビクトリアエロー  Ｇ−１１、同Ｇ−２０、ビクトリアオレンジ  Ｇ−１６、同Ｇ−２１、ビクトリアレッド  Ｇ−１９、同Ｇ−２２、ビクトリアピンク  Ｇ−１７、同Ｇ−２３、ビクトリアグリーン  Ｇ−１８、同Ｇ−２４、ビクトリアブルー  Ｇ−１５、同Ｇ−２５（以上、御国色素（株）製）、ポルックスＰＣ５Ｔ１０２０、ポルックスブラックＰＣ８Ｔ１３５、ポルックスレッドＩＴ１０３０等のポルックスシリーズ（以上、住化カラー（株）製）などが挙げられるものであり、これらは１種又は２種以上選択して併用できるものである。
【００２１】
有機溶剤としては、グリコールエーテル類、グリコール類、アルコール類が特に好ましい。
例えば、フェニルグリコール、フェニルジグリコール、ベンジルモノグリコール、ベンジルジグリコール、エチレングリコールモノメチルエーテル、エチレングリコールジメチルエーテル、エチレングリコールモノエチルエーテル、エチレングリコールモノブチルエーテル、エチレングリコールモノイソブチルエーテル、エチレングリコールジブチルエーテル、エチレングリコールモノイソプロピルエーテル、エチレングリコールモノヘキシルエーテル、エチレングリコールモノ２−エチルヘキシルエーテル、エチレングリコールモノアリルエーテル、ジエチレングリコールモノメチルエーテル、ジエチレングリコールジメチルエーテル、ジエチレングリコールモノエチルエーテル、ジエチレングリコールジエチルエーテル、ジエチレングリコールモノブチルエーテル、ジエチレングリコールモノイソブチルエーテル、ジエチレングリコールジブチルエーテル、ジエチレングリコールモノヘキシルエーテル、ジエチレングリコールモノ２−エチルヘキシルエーテル、トリエチレングリコールモノメチルエーテル、トリエチレングリコールジメチルエーテル、トリエチレングリコールモノブチルエーテル、ポリエチレングリコールモノメチルエーテル、プロピレングリコールモノメチルエーテル、プロピレングリコールモノメチルエーテルアセテート、プロピレングリコールモノエチルエーテル、プロピレングリコールモノプロピルエーテル、プロピレングリコールモノブチルエーテル、プロピレングリコールターシャリブチルエーテル、プロピレングリコールモノフェニルエーテル、ジプロピレングリコールモノメチルエーテル、ジプロピレングリコールジメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノエチルエーテル、トリプロピレングリコールモノブチルエーテル、３−メチル−３−メトキシ−１−ブチルアセテート等のグリコールエーテル類、エチレングリコール、ジエチレングリコール、トリエチレングリコール、プロピレングリコール、ジプロピレングリコール、ヘキシレングリコール、オクチレングリコール、グリセリン、ポリエチレングリコール、３−メチル−１，３ブタンジオール、１，３−プロパンジオール、１，３−ブタンジオール、１，５−ペンタンジオール等のグリコール類、ベンジルアルコール、β−フェニルエチルアルコール、α−メチルベンジルアルコール、エタノール、１−プロパノール、２−プロパノール、１−ブタノール、２−ブタノール、３−メトキシ−１−ブタノール、３−メチル−３−メトキシ−１−ブタノール、３−メチル−３−メトキシペンタノール、ラウリルアルコール、トリデシルアルコール、イソデシルアルコール、イソトリデシルアルコール等のアルコール類、メチルイソプロピルエーテル、エチルエーテル、エチルプロピルエーテル、エチルブチルエーテル、イソプロピルエーテル、ブチルエーテル、ヘキシルエーテル、２−エチルヘキシルエーテル等のエーテル類、酢酸−２−エチルヘキシル、イソ酪酸イソブチル、乳酸エチル、乳酸ブチル等のエステル類を挙げることができ��。
これらの溶剤は単独あるいは組み合わせて使用でき、その使用量は塗布液全量に対し１０重量％以上９０重量％以下が好ましい。
【００２２】
塗布液の筆穂内での乾燥防止や塗布液の低温時での凍結防止などの目的で、有機溶媒を添加する事も可能である。具体的には、エタノール、１−プロパノール、２−プロパノール、ブチルアルコール等のアルコール類、エチレングリコール、１，２−プロパンジオール、１，３−ブタンジオール、ヘキシレングリコール、２−エチル１，３−ヘキサングリコール、グリセリン、トリエチレングリコール、ジプロピレングリコール、ジグリセリン、ポリエチレングリコール、ポリプロピレングリコール等のグリコール、エチレングリコールエチルエーテル、エチレングリコールメチルエーテル、エチレングリコールブチルエーテル、ジエチレングリコールエチルエーテル等のエーテル、チオジグリコール、Ｎ−メチルピロリドン、２−フェノキシエタノールなどが使用出来る。
これらは１種又は２種以上選択して併用できるものである。また、その使用量は塗布液全量に対して０．５重量％以上４０重量％以下の添加が好ましい。０．５重量％未満では塗布部の乾燥防止効果が弱く使用不能になる恐れがあり、４０重量％を超えて添加してもその効果の向上は見られず添加することの意味が見い出せない。
【００２３】
また、特に化粧料として好ましい配合物を以下に示す。
例えば、顔料として、無機粉体、光輝性粉体、有機粉体、色素粉体、複合粉体、タール色素等が挙げられ、１種又は２種以上を組み合わせて用いることができる。具体的には、コンジョウ、群青、ベンガラ、黄酸化鉄、黒酸化鉄、酸化チタン、酸化亜鉛、チタン・酸化チタン焼結物、酸化セリウム、酸化マグネシウム、酸化ジルコニウム、酸化アンチモン、炭酸マグネシウム、炭酸カルシウム、酸化クロム、水酸化クロム、ケイ酸アルミニウム、ケイ酸マグネシウム、ケイ酸カルシウム、ケイ酸バリウム、ケイ酸アルミニウムマグネシウム、メタケイ酸アルミニウムマグネシウム、マイカ、合成マイカ、合成セリサイト、セリサイト、タルク、白雲母、金雲母、紅雲母、黒雲母、カオリン、硫酸バリウム、ベントナイト、スメクタイト、珪ソウ土、ヒドロキシアパタイト、窒化硼素等の無機粉体、オキシ塩化ビスマス、雲母チタン、二酸化チタン被覆オキシ塩化ビスマス、酸化鉄被覆雲母、酸化鉄被覆雲母チタン、紺青被覆雲母チタン、カルミン被覆雲母チタン、有機顔料被覆雲母チタン、酸化鉄・酸化チタン被覆合成金雲母、魚燐箔、二酸化チタン被覆ガラスフレーク、銀被覆ガラスフレーク、金被覆ガラスフレーク、酸化鉄被覆ガラスフレークポリエチレンテレフタレート・アルミニウム・ポリウレタン積層末、ポリエチレンテレフタレート・ポリオレフィン積層フィルム末、ポリエチレンテレフタレート・ポリメチルメタクリレート積層フィルム末等の光輝性粉体、ポリアミド系樹脂、ポリエチレン系樹脂、ポリアクリル系樹脂、ポリエステル系樹脂、フッ素系樹脂、セルロース系樹脂、ポリスチレン系樹脂、スチレン−アクリル共重合体樹脂等のコポリマー樹脂、ポリプロピレン系樹脂、シリコーン樹脂、ウレタン樹脂等の有機高分子樹脂粉体、Ｎ−アシルリジン等の有機粉体、澱粉、シルク粉末、セルロース粉末等の天然有機粉体、有機タール系顔料、有機色素のレーキ顔料等の色素粉体、アルミニウム粉、金粉、銀粉等の金属粉体、微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体等が挙げられる。またこれらの色素及び顔料は、表面をシリコーン類、ラウロイルリジン、ステアロイルグルタミン酸塩、パーフルオロアルキルリン酸エステルジエタノールアミン塩、ポリエチレン、その他油剤等で被覆処理されていても良い。
【００２４】
また、化粧品に一般的に用いられる各種の成分、例えば、揮発性炭化水素及び非揮発性液状油分以外の固形又は半固形状の油性成分、保湿剤、増粘剤、水溶性高分子、香料、殺菌剤、防腐剤、酸化防止剤、キレート剤、紫外線吸収剤、溶剤、抗炎症剤、抗アンドロゲン剤、育毛剤、抗酸化剤、清涼剤、生薬抽出物やビタミン類等を適時配合することができる。
【００２５】
油性成分としては、例えば、パラフィンワックス、セレシンワックス、マイクロクリスタリンワックス、ポリエチレンワックス、エチレン・プロピレンコポリマー、α−オレフィンオリゴマー、モンタンワックス、フィッシャートロプシュワックス、モクロウ、ミツロウ、カルナウバワックス、キャンデリラワックス、ゲイロウ、コメヌカロウ等のワックス類や、アクリルシリコーン・グラフト共重合体等のトリメチルシロキシケイ酸以外の有機シリコーン樹脂、エイコセン・ビニルピロリドン共重合体、ロジン系樹脂等の油溶性樹脂、ステアリン酸、パルミチン酸等の固形状脂肪酸等が挙げられる。
【実施例】
【００２６】
以下、添付した図面に基づき本発明の実施例を説明する。
図１に、本発明の筆穂１を軸２の先端に配した塗布具の一例を示す。
軸２内には、塗布液を吸蔵した中綿３と、中綿３と筆穂１との間で塗布液を接続する繊維収束体である中継芯４を配している。中継芯４の後端は先細状に縮径されて、中綿３の先端に圧入されている。また、図１のＩ部を拡大した図２に示すように、中継芯３の先端も縮径部となっており、筆穂１の後端に形成した凹部１ａに挿入されている。中綿３と中継芯４と筆穂１の後端部分とでは、中綿３が最も毛細管力が弱く、筆穂１が最も毛細管力が高く設定されており、中綿内３内に収容した塗布液は、この毛細管力の差と塗布液の自重による水頭圧によって筆穂１に供給される仕組みになっている。
【００２７】
筆穂２は、収束された筆穂１の後端は溶着などの方法により結束され、同時に鍔部１ｂを形成しており、この鍔部１ｂを、軸２の先端開口部に圧入状に挿入する、貫通穴５ａを有する固定部材４と中継芯３との間で挟持して固定している。この固定部材４の貫通穴５ａは、筆穂１を突出した状態とするが、先端開口部４ｂが楕円形となっており、筆穂１がこの形状に沿って形成される。
【００２８】
図３に筆穂１と固定部材４とを組み立てた状態の斜視図を示す。
図１〜図３に示すとおり、本例における筆穂１は、繊維の先端が形成する、筆穂先端の並列部１ｃとして、直線状部分１ｄと、その両端に曲面部１ｅとを有しており、直線状部分１ｄは軸線に対して垂直方向に形成されている。
この直線状部分１ｄの幅Ｗと、曲面状部分の幅Ｌ１、Ｌ２の合計との関係は、Ｗ≦（Ｌ１＋Ｌ２）となっているが、本例の場合は、おおむねＬ１＝Ｌ２である。
【００２９】
図４、図５に他の一例を示す。図２、図３に相当する図面として示してある。
前述の一例と異なる点は、筆穂１の並列部１ｃにおいて、直線状部分１ｄを軸線に対して傾斜させた点にある。本例において、直線上部１ｄの軸線に対する傾斜角度は７２度に設定してある。直線上部１ｄの傾斜により、曲面状部１ｅは、幅広の先方側曲面状部１ｅ’と、幅狭の後方曲面状部１ｅ’’とが形成されているが、ＷとＬの関係は前例と同様に、Ｗ≦（Ｌ１＋Ｌ２）である。
また、実施例１における筆穂１の各部の寸法は、  Ｗ＝０．９５ｍｍ、Ｌ１＝０．６９ｍｍ、Ｌ２＝０．５０ｍｍ、先方側曲面状部１ｅ’の半径Ｒ１＝１．００ｍｍ、後方曲面状部１ｅ’’の半径Ｒ２＝０．５０ｍｍ、筆穂２の固定部材からの突出長さは６．５０ｍｍとなっている。また、ポリアミド繊維の混毛割合は８０％、ＰＢＴ繊維の混毛割合は２０％である。そして、繊維の長手方向に垂直な方向の断面形状は、ポリアミド繊維の８０％の内、クローバー形状のものが３０％、丸形のものが５０％混毛されており、ＰＢＴ繊維は丸形となっている。
【００３０】
以下、上記の構成を基に、並列部１ｃにおける直線状部１ｄの幅と、曲面状部１ｅの幅の総量との関係について、種々の筆穂１を作成し、各種試験を行った。筆穂１の種類については表１に、試験結果については表２に示す。
【００３１】
【表１】
2017127450.tif 000003
【００３２】
筆記試験
アイライナー用の塗布液を内蔵した軸の先端に表１の条件からなる各種の筆穂を取り付けた塗布具を用い、主に目尻付近の肌に手動により、肌に対して軸の角度が３０度〜１００度、塗布荷重０．５ｇ〜１０ｇとなるように操作して塗布した。尚、筆穂は並列部に対し、平行方向・垂直方向で操作し、太い描線・細い描線を使い分けることを前提とした。
評価基準としては、一本の均一幅の塗布跡が形成されている場合を○、複数の線が確認できる場合を×とした。
【００３３】
官能試験（モニター試験）
任意に抽出したモニターに実際に塗布具を使用してもらい、使用性についてモニター調査を実施した。
線幅の自由度：塗布具を肌に塗布し、肌への線幅が自由に調整できたと感じた場合は○、調整し難いと感じた場合を×とした。
書き味：塗布具を肌に塗布し、肌への塗布感を良好と感じられる場合は○、不快と感じる場合を×とした。
【００３４】
【表２】
2017127450.tif 000004
【符号の説明】
【００３５】
１    筆穂
１ａ  凹部
１ｂ  鍔部
１ｃ  並列部
１ｄ  直線状部分
１ｅ  曲面部
２    軸
３    中綿
４    中継芯
５    固定部材
５ａ  貫通穴
５ｂ  先端開口部
１Ｗ  直線状部分１ｄの幅
Ｌ１，Ｌ２  曲面状部分の幅
【図１】
2017127450.tif 000005
【図２】
2017127450.tif 000006
【図３】
2017127450.tif 000007
【図４】
2017127450.tif 000008
【図５】
2017127450.tif 000009